(57)【要約】【課題】ＣｏＭＰ送受信処理を開始するか否かについての判定を適切に行うための仕組みを提供する。【解決手段】本発明に係る移動通信方法は、無線基地局ｅＮＢが、配下のセル＃５に接続している移動局ＵＥに対して、「Ｍｅａｓｕｒｅｍｅｎｔ  Ｏｂｊｅｃｔ」によって、ＣｏＭＰ送受信処理の対象候補であるＣｏＭＰ用送信ポイントの識別情報及びＣＳＩ-ＲＳの設定情報を通知する工程と、移動局ＵＥが、通知された送信ポイントの識別情報及びＣＳＩ-ＲＳの設定情報を用いて、ＣｏＭＰ用送信ポイントの品質測定処理を開始する工程とを有する。【選択図】図５
2013081045.tif 000002
【特許請求の範囲】
【請求項１】
無線基地局が、配下のセルに接続している移動局に対して、測定対象情報によって、マルチポイント協調送受信処理の対象候補である送信ポイントの識別情報及び該移動局用の参照信号の設定情報を通知する工程と、
前記移動局が、通知された前記送信ポイントの識別情報及び前記移動局用の参照信号の設定情報を用いて、該送信ポイントの品質測定処理を開始する工程とを有することを特徴とする移動通信方法。
【請求項２】
無線基地局が、配下のセルに接続している移動局に対して、測定対象情報によって、マルチポイント協調送受信処理の対象候補である送信ポイントの識別情報を通知する工程と、
前記無線基地局が、前記移動局に対して、コネクション再設定信号によって、該移動局用の参照信号の設定情報を通知する工程と、
前記移動局が、通知された前記送信ポイントの識別情報及び前記移動局用の参照信号の設定情報を用いて、該送信ポイントの品質測定処理を開始する工程とを有することを特徴とする移動通信方法。
【請求項３】
無線基地局であって、
前記無線基地局配下のセルに接続している移動局に対して、測定対象情報によって、マルチポイント協調送受信処理の対象候補である送信ポイントの識別情報及び該移動局用の参照信号の設定情報を通知するように構成されている送信部を具備することを特徴とする無線基地局。
【請求項４】
無線基地局であって、
前記無線基地局配下のセルに接続している移動局に対して、測定対象情報によって、マルチポイント協調送受信処理の対象候補である送信ポイントの識別情報を通知し、コネクション再設定信号によって、該移動局用の参照信号の設定情報を通知するように構成されている送信部を具備することを特徴とする無線基地局。
【請求項５】
移動局であって、
無線基地局配下のセルに接続している場合に、該無線基地局から、測定対象情報を介して、マルチポイント協調送受信処理の対象候補である送信ポイントの識別情報及び該移動局用の参照信号の設定情報を取得するように構成されている受信部と、
取得された前記送信ポイントの識別情報及び前記移動局用の参照信号の設定情報を用いて、該送信ポイントの品質測定処理を開始するように構成されている処理部とを具備することを特徴とする移動局。
【請求項６】
移動局であって、
無線基地局配下のセルに接続している場合に、該無線基地局から、測定対象情報を介して、マルチポイント協調送受信処理の対象候補である送信ポイントの識別情報を取得し、コネクション再設定信号を介して、該移動局用の参照信号の設定情報を取得するように構成されている受信部と、
取得された前記送信ポイントの識別情報及び前記移動局用の参照信号の設定情報を用いて、該送信ポイントの品質測定処理を開始するように構成されている処理部とを具備することを特徴とする移動局。
【発明の詳細な説明】
【技術分野】
【０００１】
本発明は、移動通信方法、無線基地局及び移動局に関する。
【背景技術】
【０００２】
ＬＴＥ（Ｌｏｎｇ  Ｔｅｒｍ  Ｅｖｏｌｕｔｉｏｎ）方式において、セル端に位置する移動局ＵＥにおけるスループットの改善等を図ることを目的として、ＣｏＭＰ（Ｃｏｏｒｄｉｎａｔｅｄ  Ｍｕｌｔｉ-Ｐｏｉｎｔ、マルチポイント協調）送受信処理を適用することについて検討されている。
【０００３】
かかるＣｏＭＰ送受信処理は、地理的に離れた複数の送受信ノード（ＣｏＭＰ用送信ポイント）の間で、例えば、無線基地局ｅＮＢや基地局用無線装置ＲＲＥ（Ｒｅｍｏｔｅ  Ｒａｄｉｏ  Ｅｑｕｉｐｍｅｎｔ）やリレーノードＲＮ等の間で、共有データチャネル信号の送受信やスケジューリングやビームフォーミング等を協調制御する処理である。
【先行技術文献】
【非特許文献】
【０００４】
【非特許文献１】３ＧＰＰ  ＴＲ３６.８１９
【発明の概要】
【発明が解決しようとする課題】
【０００５】
しかしながら、現在のＬＴＥ方式では、かかるＣｏＭＰ用送信ポイントの品質測定処理についての開始方法が規定されていないという問題点があった。
【０００６】
そこで、本発明は、上述の課題に鑑みてなされたものであり、ＣｏＭＰ用送信ポイントの品質測定処理を適切に開始するための仕組みを提供する移動通信方法、無線基地局及び移動局を提供することを目的とする。
【課題を解決するための手段】
【０００７】
本発明の第１の特徴は、移動通信方法であって、無線基地局が、配下のセルに接続している移動局に対して、測定対象情報によって、マルチポイント協調送受信処理の対象候補である送信ポイントの識別情報及び該移動局用の参照信号の設定情報を通知する工程と、前記移動局が、通知された前記送信ポイントの識別情報及び前記移動局用の参照信号の設定情報を用いて、該送信ポイントの品質測定処理を開始する工程とを有することを要旨とする。
【０００８】
本発明の第２の特徴は、移動通信方法であって、無線基地局が、配下のセルに接続している移動局に対して、測定対象情報によって、マルチポイント協調送受信処理の対象候補である送信ポイントの識別情報を通知する工程と、前記無線基地局が、前記移動局に対して、コネクション再設定信号によって、該移動局用の参照信号の設定情報を通知する工程と、前記移動局が、通知された前記送信ポイントの識別情報及び前記移動局用の参照信号の設定情報を用いて、該送信ポイントの品質測定処理を開始する工程とを有することを要旨とする。
【０００９】
本発明の第３の特徴は、無線基地局であって、前記無線基地局配下のセルに接続している移動局に対して、測定対象情報によって、マルチポイント協調送受信処理の対象候補である送信ポイントの識別情報及び該移動局用の参照信号の設定情報を通知するように構成されている送信部を具備することを要旨とする。
【００１０】
本発明の第４の特徴は、無線基地局であって、前記無線基地局配下のセルに接続している移動局に対して、測定対象情報によって、マルチポイント協調送受信処理の対象候補である送信ポイントの識別情報を通知し、コネクション再設定信号によって、該移動局用の参照信号の設定情報を通知するように構成されている送信部を具備することを要旨とする。
【００１１】
本発明の第５の特徴は、移動局であって、無線基地局配下のセルに接続している場合に、該無線基地局から、測定対象情報を介して、マルチポイント協調送受信処理の対象候補である送信ポイントの識別情報及び該移動局用の参照信号の設定情報を取得するように構成されている受信部と、取得された前記送信ポイントの識別情報及び前記移動局用の参照信号の設定情報を用いて、該送信ポイントの品質測定処理を開始するように構成されている処理部とを具備することを要旨とする。
【００１２】
本発明の第６の特徴は、移動局であって、無線基地局配下のセルに接続している場合に、該無線基地局から、測定対象情報を介して、マルチポイント協調送受信処理の対象候補である送信ポイントの識別情報を取得し、コネクション再設定信号を介して、該移動局用の参照信号の設定情報を取得するように構成されている受信部と、取得された前記送信ポイントの識別情報及び前記移動局用の参照信号の設定情報を用いて、該送信ポイントの品質測定処理を開始するように構成されている処理部とを具備することを要旨とする。
【発明の効果】
【００１３】
以上説明したように、本発明によれば、ＣｏＭＰ送信ポイントの品質測定処理を適切に開始するための仕組みを提供する移動通信方法、無線基地局及び移動局を提供することができる。
【図面の簡単な説明】
【００１４】
【図１】本発明の第１の実施形態に係る移動通信システムの全体構成図である。
【図２】本発明の第１の実施形態に係る無線基地局の機能ブロック図である。
【図３】本発明の第１の実施形態に係る無線基地局によって送信される「Ｍｅａｓｕｒｅｍｅｎｔ  Ｏｂｊｅｃｔ」のフォーマットの一例を示す図である。
【図４】本発明の第１の実施形態に係る移動局の機能ブロック図である。
【図５】本発明の第１の実施形態に係る移動通信システムの動作を説明するための図である。
【図６】本発明の変更例１に係る無線基地局によって送信される「ＲＲＣ  Ｒｅｃｏｎｆｉｇｕｒａｔｉｏｎ」に含まれる情報要素「ＰｈｙｓｉｃａｌＣｏｎｆｉｇＤｅｄｉｃａｔｅｄ」のフォーマットの一例を示す図である。
【図７】本発明の変更例１に係る移動通信システムの動作を説明するための図である。
【発明を実施するための形態】
【００１５】
（本発明の第１の実施形態に係る移動通信システム）
図１乃至図５を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１６】
本実施形態に係る移動通信システムでは、ＣｏＭＰ送受信処理、特に、下りＣｏＭＰ送受信処理を行うことができるように構成されている。
【００１７】
かかる下りＣｏＭＰ送受信処理には、「ＪＴ（Ｊｏｉｎｔ  Ｔｒａｎｓｍｉｓｓｉｏｎ）」や「ＤＣＳ（Ｄｙｎａｍｉｃ  Ｃｅｌｌ  Ｓｅｌｅｃｔｉｏｎ）」や「ＣＳ/ＣＢ（Ｃｏｏｒｄｉｎａｔｅｄ  Ｓｃｈｅｄｕｌｉｎｇ/Ｂｅａｍｆｏｒｍｉｎｇ）」が含まれている。
【００１８】
ここで、「ＪＴ」は、複数のセルから、すなわち、サービングセル以外のセルからも、移動局ＵＥに対して、共有データチャネル信号を送信する処理である。
【００１９】
また、「ＤＣＳ」は、チャネル品質情報（ＣＱＩ）に基づいて、高速に、1つのセルを選択し、選択したセルから、移動局ＵＥに対して、共有データチャネル信号を送信する処理である。
【００２０】
さらに、「ＣＳ/ＣＢ」は、サービングセルと周辺セルとの間で、スケジューリングやビームフォーミングを協調する処理である。
【００２１】
図１に示すように、本実施形態に係る移動通信システムでは、セル＃１〜＃５において、ＣｏＭＰ送受信処理を提供することができるように構成されている、すなわち、セル＃１〜＃５が、ＣｏＭＰサポートエリアとなるように構成されているものとする。
【００２２】
なお、セル＃１〜＃５は、同一の無線基地局ｅＮＢによって管理されていてもよいし、異なる無線基地局ｅＮＢによって管理されていてもよい。
【００２３】
また、各セル＃１〜＃５では、ＣＲＳ（Ｃｅｌｌ  ｓｐｅｃｉｆｉｃ  Ｒｅｆｅｒｅｎｃｅ  Ｓｉｇｎａｌ）に加えて、ＣＳＩ-ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）を送信することができるように構成されている。
【００２４】
ここで、ＣＲＳは、ＬＴＥのＲｅｌ-８/９方式で規定されている参照信号であって、各セル内の全ての移動局ＵＥに対して共通に設定される参照信号である。
【００２５】
一方、ＣＳＩ-ＲＳは、ＬＴＥのＲｅｌ-１０方式で規定されている参照信号であって、ＲＲＣ（Ｒａｄｉｏ  Ｒｅｓｏｕｒｃｅ  Ｃｏｎｔｒｏｌ）メッセージを用いて移動局ＵＥごとに個別に設定される参照信号である。
【００２６】
ＣＳＩ-ＲＳは、ＣｏＭＰ用送信ポイント（ＣｏＭＰ送受信処理の対象候補）やサービングセルや周辺セル（ハンドオーバ先候補）等の品質測定処理（ｍｅａｓｕｒｅｍｅｎｔ）のために用いられてもよいし、ＣｏＭＰ送受信処理が行われているＣｏＭＰ用送信ポイントやサービングセルにおけるＣＱＩを測定するために用いられてもよい。
【００２７】
なお、上述の品質測定処理のために用いられるＣＳＩ-ＲＳ及び上述のＣＱＩを測定するために用いられるＣＳＩ-ＲＳは、同じものであってもよいし、異なるものであってもよい。
【００２８】
例えば、上述の品質測定処理における測定精度及び上述のＣＱＩの測定精度に対する要求条件に基づいて、上述の品質測定処理のために用いられるＣＳＩ-ＲＳ及び上述のＣＱＩを測定するために用いられるＣＳＩ-ＲＳを同じものにするか或いは異なるものにするかについて決定することができる。
【００２９】
また、ＣＳＩ-ＲＳの配置密度は、ＣＲＳの配置密度と比べて低くなるように構成されている。
【００３０】
また、セル＃１〜＃５においてＣｏＭＰ送受信処理が提供される場合、セル（ＣｏＭＰ用送信ポイント）＃１〜＃５において、同一のＰＣＩ（Ｐｈｙｓｉｃａｌ  Ｃｅｌｌ  ＩＤ）が用いられるように構成されていてもよいし、異なるＰＣＩが用いられるように構成されていてもよい。
【００３１】
本実施形態における移動通信システムでは、移動局ＵＥは、無線基地局ｅＮＢ配下のセル＃５に接続するように構成されている、すなわち、セル＃５が、移動局ＵＥのサービングセルとなるように構成されているものとする。
【００３２】
図２に示すように、無線基地局ｅＮＢは、送信部１１と、受信部１２と、ＣｏＭＰ送受信処理部１３とを具備している。
【００３３】
送信部１１は、無線基地局ｅＮＢ配下のセル＃５等に接続している移動局ＵＥに対して、各種信号を送信するように構成されており、受信部１２は、かかる移動局ＵＥから、各種信号を受信するように構成されている。
【００３４】
例えば、送信部１１は、無線基地局ｅＮＢ配下のセル＃５等に接続している移動局ＵＥに対して、「Ｍｅａｓｕｒｅｍｅｎｔ  Ｏｂｊｅｃｔ」によって、通常の品質測定処理（ｍｅａｓｕｒｅｍｅｎｔ）の対象（周波数又はセル）の識別情報に加えて、ＣｏＭＰ送受信処理の対象候補であるＣｏＭＰ用送信ポイント（すなわち、セル）の識別情報（例えば、ＰＣＩ）及びＣＳＩ-ＲＳの設定情報（例えば、ＣＳＩ-ＲＳの多重位置等）を通知するように構成されている。
【００３５】
図３に、かかる「Ｍｅａｓｕｒｅｍｅｎｔ  Ｏｂｊｅｃｔ」のフォーマットの一例について示す。
【００３６】
具体的には、図３に示す「Ｍｅａｓｕｒｅｍｅｎｔ  Ｏｂｊｅｃｔ」において、「ｃｏｍｐＴＰｓＴｏＡｄｄＭｏｄＬｉｓｔ」内の「ｐｈｙｓＣｅｌｌＩｄ-ｒ１１」は、測定対象として追加すべきＣｏＭＰ用送信ポイントの識別情報を通知する、或いは、測定対象のＣｏＭＰ用送信ポイントのうち内容を変更すべきＣｏＭＰ用送信ポイントの識別情報を通知する情報要素である（記述Ａ及びＢ参照）。
【００３７】
また、図３に示す「Ｍｅａｓｕｒｅｍｅｎｔ  Ｏｂｊｅｃｔ」において、「ｃｏｍｐＴＰｓＴｏＡｄｄＭｏｄＬｉｓｔ」内の「ｃｓｉ-ＲＳ-Ｃｏｎｆｉｇ-ｒ１１」は、測定対象として追加すべきＣｏＭＰ用送信ポイントにおけるＣＳＩ-ＲＳの設定情報を通知する、或いは、測定対象のＣｏＭＰ用送信ポイントにおいて変更するＣＳＩ-ＲＳの設定情報を通知する情報要素である（記述Ａ及びＢ参照）。
【００３８】
一方、図３に示す「Ｍｅａｓｕｒｅｍｅｎｔ  Ｏｂｊｅｃｔ」において、「ｃｏｍｐＴＰｓＴｏＲｅｍｏｖｅＬｉｓｔ」は、測定対象から削除すべきＣｏＭＰ用送信ポイントを通知する情報要素である（記述Ａ参照）。
【００３９】
なお、送信部１１は、無線基地局ｅＮＢ配下のセル＃５等に接続している移動局ＵＥに対して、別々の「Ｍｅａｓｕｒｅｍｅｎｔ  Ｏｂｊｅｃｔ」によって、通常の品質測定処理（ｍｅａｓｕｒｅｍｅｎｔ）の対象（周波数又はセル）の識別情報と、ＣｏＭＰ送受信処理の対象候補であるＣｏＭＰ用送信ポイント（すなわち、セル）の識別情報（例えば、ＰＣＩ）及びＣＳＩ-ＲＳの設定情報（例えば、ＣＳＩ-ＲＳの多重位置等）とを通知するように構成されていてもよい。
【００４０】
ここで、送信部１１は、上述の移動局ＵＥに対して、「Ｍｅａｓｕｒｅｍｅｎｔ  Ｏｂｊｅｃｔ」によって、かかる移動局ＵＥのサービングセルにおけるＣＳＩ-ＲＳの設定情報を通知するように構成されていてもよい。
【００４１】
かかる場合、送信部１１は、まず、かかる移動局ＵＥのサービングセル（セル＃５）におけるＣＳＩ-ＲＳの設定情報を含まない「Ｍｅａｓｕｒｅｍｅｎｔ  Ｏｂｊｅｃｔ」を送信し、その後、受信部１２によって受信された移動局ＵＥの「ＵＥ  Ｃａｐａｂｉｌｉｔｙ」がＣｏＭＰ送受信処理に対応している旨を示す場合に、「Ｍｅａｓｕｒｅｍｅｎｔ  Ｏｂｊｅｃｔ」によって、かかる移動局ＵＥのサービングセルにおけるＣＳＩ-ＲＳの設定情報を通知するように構成されていてもよい。
【００４２】
また、受信部１２は、無線基地局ｅＮＢ配下のセル＃５等に接続している移動局ＵＥから、「Ｍｅａｓｕｒｅｍｅｎｔ  Ｏｂｊｅｃｔ」によって指定したセルにおける測定結果を含む「Ｍｅａｓｕｒｅｍｅｎｔ  Ｒｅｐｏｒｔ（測定報告）」を受信するように構成されている。
【００４３】
なお、かかる「Ｍｅａｓｕｒｅｍｅｎｔ  Ｒｅｐｏｒｔ」には、ＣｏＭＰ送受信処理の対象候補であるＣｏＭＰ用送信ポイントにおける測定結果（ＣＳＩ-ＲＳの測定結果）が含まれている。
【００４４】
ＣｏＭＰ送受信処理部１３は、ＣｏＭＰ送受信処理（例えば、上述の「ＪＴ」や「ＤＣＳ」や「ＣＳ/ＣＢ」等）を行う際に必要な処理を行うように構成されている。
【００４５】
例えば、ＣｏＭＰ送受信処理部１３は、各ＣｏＭＰ用送信ポイントにおける測定結果に基づいて、ＣｏＭＰ送受信処理を開始するか否かについて、或いは、どのＣｏＭＰ用送信ポイントを用いてどのタイプのＣｏＭＰ送受信処理を開始するかについて決定することができるように構成されている。
【００４６】
図４に示すように、移動局ＵＥは、受信部２１と、測定部２２と、送信部２３と、ＣｏＭＰ送受信処理部２４とを具備している。
【００４７】
受信部２１は、サービングセル（セル＃５）を管理する無線基地局ｅＮＢから、各種信号を受信するように構成されている。
【００４８】
例えば、受信部２１は、上述の無線基地局ｅＮＢから、「Ｍｅａｓｕｒｅｍｅｎｔ  Ｏｂｊｅｃｔ」を介して、通常の品質測定処理（ｍｅａｓｕｒｅｍｅｎｔ）の対象（周波数又はセル）の識別情報に加えて、ＣｏＭＰ送受信処理の対象候補であるＣｏＭＰ用送信ポイントの識別情報及びＣＳＩ-ＲＳの設定情報を取得するように構成されている。
【００４９】
なお、受信部２１は、上述の無線基地局ｅＮＢから、別々の「Ｍｅａｓｕｒｅｍｅｎｔ  Ｏｂｊｅｃｔ」を介して、通常の品質測定処理（ｍｅａｓｕｒｅｍｅｎｔ）の対象（周波数又はセル）の識別情報と、ＣｏＭＰ送受信処理の対象候補であるＣｏＭＰ用送信ポイントの識別情報及びＣＳＩ-ＲＳの設定情報とを取得するように構成されていてもよい。
【００５０】
また、受信部２１は、「Ｍｅａｓｕｒｅｍｅｎｔ  Ｏｂｊｅｃｔ」を介して、移動局ＵＥのサービングセルにおけるＣＳＩ-ＲＳの設定情報を取得するように構成されていてもよい。
【００５１】
測定部２２は、受信部２１によって取得されたＣｏＭＰ用送信ポイントの識別情報及びＣＳＩ-ＲＳの設定情報を用いて、すなわち、かかるＣｏＭＰ用送信ポイントにおけるＣＳＩ-ＲＳを用いて、ＣｏＭＰ送受信処理の対象候補であるＣｏＭＰ用送信ポイントの品質測定処理を行うように構成されている。
【００５２】
また、測定部２２は、ＣＲＳを用いて、「Ｍｅａｓｕｒｅｍｅｎｔ  Ｏｂｊｅｃｔ」によって指定されている周辺セル及びサービングセルの品質測定処理を行うように構成されている。
【００５３】
また、送信部２３は、かかる無線基地局ｅＮＢに対して、各種信号を送信するように構成されている。
【００５４】
具体的には、送信部２３は、上述の無線基地局ｅＮＢに対して、通常の品質測定処理の結果（ＣＲＳの測定結果）に加えて、ＣｏＭＰ送受信処理の対象候補であるＣｏＭＰ用送信ポイントの品質測定処理の結果（ＣＳＩ-ＲＳの測定結果）を含む「Ｍｅａｓｕｒｅｍｅｎｔ  Ｒｅｐｏｒｔ」を送信するように構成されている。
【００５５】
ＣｏＭＰ送受信処理部２４は、ＣｏＭＰ送受信処理（例えば、上述の「ＪＴ」や「ＤＣＳ」や「ＣＳ/ＣＢ」等）を行う際に必要な処理を行うように構成されている。
【００５６】
例えば、ＣｏＭＰ送受信処理部２４は、受信部２１によって取得されたＣｏＭＰ用送信ポイントの識別情報及びＣＳＩ-ＲＳの設定情報を用いて、ＣｏＭＰ送受信処理を開始するように構成されている、例えば、ＣｏＭＰ送受信処理を行っているＣｏＭＰ用送信ポイントにおけるＣＱＩを測定するように構成されている。
【００５７】
なお、送信部２３は、上述の無線基地局ｅＮＢに対して、ＣｏＭＰ送受信処理部２４によって測定されたＣｏＭＰ用送信ポイントにおけるＣＱＩについて通知するように構成されている。
【００５８】
また、受信部２１が、移動局ＵＥのサービングセルにおけるＣＳＩ-ＲＳの設定情報を受信した場合には、測定部２２は、受信部２１によって取得されたサービングセルにおけるＣＳＩ-ＲＳの設定情報を用いて、サービングセルの品質測定処理を行うように構成されていてもよい。
【００５９】
ここで、移動局ＵＥが、「Ｔｒａｎｓｍｉｓｓｉｏｎ  Ｍｏｄｅ  ９」で運用されている場合、ＣｏＭＰ送受信処理部２４は、受信部２１によって取得されたサービングセルにおけるＣＳＩ-ＲＳの設定情報を用いて、サービングセルにおけるＣＱＩを測定するように構成されていてもよい。
【００６０】
なお、受信部２１が、移動局ＵＥのサービングセルにおけるＣＳＩ-ＲＳの設定情報を受信していない場合には、測定部２２は、受信部２１によって取得されたサービングセルにおけるＣＲＳの設定情報を用いて、サービングセルの品質測定処理を行うように構成されている。
【００６１】
ここで、移動局ＵＥが、「Ｔｒａｎｓｍｉｓｓｉｏｎ  Ｍｏｄｅ  ９」で運用されている場合、ＣｏＭＰ送受信処理部２４は、サービングセルにおけるＣＱＩを測定するように構成されていてもよい。
【００６２】
以下、図５を参照して、本実施形態に係る移動通信システムの動作について説明する。
【００６３】
図５に示すように、ステップＳ１００１において、移動局ＵＥは、無線基地局ｅＮＢ配下のセル＃５において、ＲＲＣコネクションを確立する、すなわち、Ｉｄｌｅ状態からＣｏｎｎｅｃｔｅｄ状態に遷移する。
【００６４】
ここで、移動局ＵＥは、無線基地局ｅＮＢに対して、「ＵＥ  Ｃａｐａｂｉｌｉｔｙ」によって、自身がＣｏＭＰ送受信処理に対応することができることを通知してもよい。
【００６５】
ステップＳ１００２において、移動局ＵＥは、サービングセルにおけるＣＲＳを用いて、サービングセルの品質測定処理を行い、無線基地局ｅＮＢに対して、かかる測定結果を含む「Ｍｅａｓｕｒｅｍｅｎｔ  Ｒｅｐｏｒｔ」を送信する。
【００６６】
なお、移動局ＵＥは、「Ｔｒａｎｓｍｉｓｓｉｏｎ  Ｍｏｄｅ  ９」で運用されている場合、サービングセルにおけるＣＲＳを用いて、サービングセルにおけるＣＱＩを測定し、かかる測定結果について無線基地局ｅＮＢに対して報告してもよい。
【００６７】
ステップＳ１００３において、無線基地局ｅＮＢは、上述の「ＵＥ  Ｃａｐａｂｉｌｉｔｙ」を参照して、かかる移動局ＵＥに対して、「Ｍｅａｓｕｒｅｍｅｎｔ  Ｏｂｊｅｃｔ」を含む「ＲＲＣ  Ｒｅｃｏｎｆｉｇｕｒａｔｉｏｎ」を送信することによって、通常の品質測定処理の対象（周波数又はセル）の識別情報に加えて、ＣｏＭＰ送受信処理の対象候補であるＣｏＭＰ用送信ポイント（すなわち、セル）の識別情報（例えば、ＰＣＩ）及びＣＳＩ-ＲＳの設定情報（例えば、ＣＳＩ-ＲＳの多重位置等）を通知する。
【００６８】
ステップＳ１００４において、移動局ＵＥは、「Ｍｅａｓｕｒｅｍｅｎｔ  Ｏｂｊｅｃｔ」によって指定されたセル及びＣｏＭＰ用送信ポイントの品質測定処理を行う。
【００６９】
ここで、移動局ＵＥは、かかるＣｏＭＰ用送信ポイントにおけるＣＳＩ-ＲＳを用いて、かかるＣｏＭＰ用送信ポイントの品質測定処理を行い、かかる測定結果について無線基地局ｅＮＢに報告する。
【００７０】
なお、移動局ＵＥは、ＣｏＭＰ送受信処理が開始された後、かかるＣｏＭＰ用送信ポイントにおけるＣＳＩ-ＲＳを用いて、かかるＣｏＭＰ用送信ポイントにおけるＣＱＩを測定し、かかる測定結果について無線基地局ｅＮＢに報告する。
【００７１】
また、移動局ＵＥは、「Ｍｅａｓｕｒｅｍｅｎｔ  Ｏｂｊｅｃｔ」によってサービングセルのＣＳＩ-ＲＳの設定情報が通知された場合には、かかるサービングセルのＣＳＩ-ＲＳを用いて、サービングセルの品質測定処理を行い、かかる測定結果について無線基地局ｅＮＢに報告する。
【００７２】
また、移動局ＵＥは、「Ｔｒａｎｓｍｉｓｓｉｏｎ  Ｍｏｄｅ  ９」で運用されている場合、サービングセルにおけるＣＲＳを用いて、サービングセルにおけるＣＱＩを測定し、かかる測定結果について無線基地局ｅＮＢに対して通知してもよい。
【００７３】
本実施形態に係る移動通信システムによれば、移動局ＵＥが、「Ｍｅａｓｕｒｅｍｅｎｔ  Ｏｂｊｅｃｔ」によって通知されたＣｏＭＰ送受信処理の対象候補であるＣｏＭＰ用送信ポイントの識別情報及びＣＳＩ-ＲＳの設定情報を用いて、かかるＣｏＭＰ用送信ポイントの品質測定処理を行い、かかる測定結果について無線基地局ｅＮＢに報告するように構成されているため、無線基地局ｅＮＢは、かかる測定結果に基づいて、ＣｏＭＰ送受信処理を解するべきか否か、或いは、どのＣｏＭＰ用送信ポイントを用いてどのタイプのＣｏＭＰ送受信処理を開始するかについて決定することができる。
【００７４】
（変更例１）
以下、図６及び図７を参照して、本発明の変更例１に係る移動通信システムについて、上述の第１の実施形態に係る移動通信システムとの相違点に着目して説明する。
【００７５】
本変更例１に係る移動通信システムでは、無線基地局ｅＮＢの送信部１１は、無線基地局ｅＮＢ配下のセル＃５に接続している移動局ＵＥに対して、「Ｍｅａｓｕｒｅｍｅｎｔ  Ｏｂｊｅｃｔ」によって、ＣｏＭＰ送受信処理の対象候補であるＣｏＭＰ用送信ポイントの識別情報を通知し、「ＲＲＣ  Ｒｅｃｏｎｆｉｇｕｒａｔｉｏｎ」によって、ＣＳＩ-ＲＳの設定情報を通知するように構成されている。
【００７６】
図６に、かかる「ＲＲＣ  Ｒｅｃｏｎｆｉｇｕｒａｔｉｏｎ」に含まれる情報要素「ＰｈｙｓｉｃａｌＣｏｎｆｉｇＤｅｄｉｃａｔｅｄ」のフォーマットの一例を示す。
【００７７】
具体的には、図６に示す「ＲＲＣ  Ｒｅｃｏｎｆｉｇｕｒａｔｉｏｎ」に含まれる情報要素「ＰｈｙｓｉｃａｌＣｏｎｆｉｇＤｅｄｉｃａｔｅｄ」内の情報要素「ｃｓｉ-ＲＳ-Ｃｏｎｆｉｇ-ｒ１０」は、測定対象として追加すべきＣｏＭＰ用送信ポイントにおけるＣＳＩ-ＲＳの設定情報を通知する、或いは、測定対象のＣｏＭＰ用送信ポイントにおいて変更するＣＳＩ-ＲＳの設定情報を通知する情報要素である（記述Ｃ及びＤ参照）。
【００７８】
また、移動局ＵＥの受信部２１は、無線基地局ｅＮＢ配下のセル＃５に接続している場合に、無線基地局ｅＮＢから、「Ｍｅａｓｕｒｅｍｅｎｔ  Ｏｂｊｅｃｔ」を介して、ＣｏＭＰ送受信処理の対象候補であるＣｏＭＰ用送信ポイントの識別情報を取得し、「ＲＲＣ  Ｒｅｃｏｎｆｉｇｕｒａｔｉｏｎ」を介して、ＣＳＩ-ＲＳの設定情報を取得するように構成されている。
【００７９】
以下、図７を参照して、本変更例１に係る移動通信システムの動作について説明する。
【００８０】
図７に示すように、ステップＳ２００１において、移動局ＵＥは、無線基地局ｅＮＢ配下のセル＃５において、ＲＲＣコネクションを確立する、すなわち、Ｉｄｌｅ状態からＣｏｎｎｅｃｔｅｄ状態に遷移する。
【００８１】
ここで、移動局ＵＥは、無線基地局ｅＮＢに対して、「ＵＥ  Ｃａｐａｂｉｌｉｔｙ」によって、自身がＣｏＭＰ送受信処理に対応することができることを通知してもよい。
【００８２】
ステップＳ２００２において、移動局ＵＥは、サービングセルにおけるＣＲＳを用いて、サービングセルの品質測定処理を行い、無線基地局ｅＮＢに対して、かかる測定結果を含む「Ｍｅａｓｕｒｅｍｅｎｔ  Ｒｅｐｏｒｔ」を送信する。
【００８３】
なお、移動局ＵＥは、「Ｔｒａｎｓｍｉｓｓｉｏｎ  Ｍｏｄｅ  ９」で運用されている場合、サービングセルにおけるＣＲＳを用いて、サービングセルにおけるＣＱＩを測定し、かかる測定結果について無線基地局ｅＮＢに対して報告してもよい。
【００８４】
ステップＳ２００３において、無線基地局ｅＮＢは、上述の「ＵＥ  Ｃａｐａｂｉｌｉｔｙ」を参照して、かかる移動局ＵＥに対して、「Ｍｅａｓｕｒｅｍｅｎｔ  Ｏｂｊｅｃｔ」によって、通常の品質測定処理の対象（周波数又はセル）の識別情報に加えて、ＣｏＭＰ送受信処理の対象候補であるＣｏＭＰ用送信ポイント（すなわち、セル）の識別情報（例えば、ＰＣＩ）を通知する。
【００８５】
かかる段階では、まだ、移動局ＵＥは、サービングセルにおけるＣＲＳを用いて、サービングセルの品質測定処理を行い、無線基地局ｅＮＢに対して、かかる測定結果を含む「Ｍｅａｓｕｒｅｍｅｎｔ  Ｒｅｐｏｒｔ」を送信している。
【００８６】
ステップＳ２００４において、無線基地局ｅＮＢは、かかる移動局ＵＥに対して、「ＲＲＣ  Ｒｅｃｏｎｆｉｇｕｒａｔｉｏｎ」によって、ＣｏＭＰ用送信ポイントにおけるＣＳＩ-ＲＳの設定情報を通知する。
【００８７】
ステップＳ２００５において、「ＲＲＣ  Ｒｅｃｏｎｆｉｇｕｒａｔｉｏｎ」によって通知されたＣｏＭＰ用送信ポイントにおけるＣＳＩ-ＲＳの設定情報を用いて、移動局ＵＥは、「Ｍｅａｓｕｒｅｍｅｎｔ  Ｏｂｊｅｃｔ」によって指定されたＣｏＭＰ用送信ポイントの品質測定処理を開始する。
【００８８】
ここで、移動局ＵＥは、「Ｍｅａｓｕｒｅｍｅｎｔ  Ｏｂｊｅｃｔ」及び「ＲＲＣ  Ｒｅｃｏｎｆｉｇｕｒａｔｉｏｎ」によって通知されたＣｏＭＰ用送信ポイントにおけるＣＳＩ-ＲＳを用いて、かかるＣｏＭＰ用送信ポイントの品質測定処理を行い、かかる測定結果について無線基地局ｅＮＢに報告する。
【００８９】
なお、移動局ＵＥは、ＣｏＭＰ送受信処理が開始された後、かかるＣｏＭＰ用送信ポイントにおけるＣＳＩ-ＲＳを用いて、かかるＣｏＭＰ用送信ポイントにおけるＣＱＩを測定し、かかる測定結果について無線基地局ｅＮＢに報告する。
【００９０】
なお、移動局ＵＥは、「Ｍｅａｓｕｒｅｍｅｎｔ  Ｏｂｊｅｃｔ」又は「ＲＲＣ  Ｒｅｃｏｎｆｉｇｕｒａｔｉｏｎ」によってサービングセルのＣＳＩ-ＲＳの設定情報が通知された場合には、かかるサービングセルのＣＳＩ-ＲＳを用いて、サービングセルの品質測定処理を行い、かかる測定結果について無線基地局ｅＮＢに報告する。
【００９１】
また、移動局ＵＥは、「Ｔｒａｎｓｍｉｓｓｉｏｎ  Ｍｏｄｅ  ９」で運用されている場合、サービングセルにおけるＣＲＳを用いて、サービングセルにおけるＣＱＩを測定し、かかる測定結果について無線基地局ｅＮＢに対して通知してもよい。
【００９２】
本変更例１に係る移動通信システムによれば、移動局ＵＥが、「Ｍｅａｓｕｒｅｍｅｎｔ  Ｏｂｊｅｃｔ」によって通知されたＣｏＭＰ送受信処理の対象候補であるＣｏＭＰ用送信ポイントの識別情報及び「ＲＲＣ  Ｒｅｃｏｎｆｉｇｕｒａｔｉｏｎ」によって通知されたＣＳＩ-ＲＳの設定情報を用いて、かかるＣｏＭＰ用送信ポイントの品質測定処理を行い、かかる測定結果について無線基地局ｅＮＢに報告するように構成されているため、無線基地局ｅＮＢは、かかる測定結果に基づいて、ＣｏＭＰ送受信処理を開始するべきか否か、或いは、どのＣｏＭＰ用送信ポイントを用いてどのタイプのＣｏＭＰ送受信処理を開始するかについて決定することができる。
【００９３】
以上に述べた本実施形態の特徴は、以下のように表現されていてもよい。
【００９４】
本実施形態の第１の特徴は、移動通信方法であって、無線基地局ｅＮＢが、配下のセル＃５に接続している移動局ＵＥに対して、「Ｍｅａｓｕｒｅｍｅｎｔ  Ｏｂｊｅｃｔ（測定対象情報）」によって、ＣｏＭＰ（マルチポイント協調）送受信処理の対象候補であるＣｏＭＰ用送信ポイントの識別情報（ＰＣＩ）及びＣＳＩ-ＲＳ（移動局ＵＥ用の参照信号）の設定情報を通知する工程と、移動局ＵＥが、通知されたＣｏＭＰ用送信ポイントの識別情報及びＣＳＩ-ＲＳの設定情報を用いて、ＣｏＭＰ用送信ポイントの品質測定処理を開始する工程とを有することを要旨とする。
【００９５】
本実施形態の第２の特徴は、移動通信方法であって、無線基地局ｅＮＢが、配下のセル＃５に接続している移動局ＵＥに対して、「Ｍｅａｓｕｒｅｍｅｎｔ  Ｏｂｊｅｃｔ」によって、ＣｏＭＰ送受信処理の対象候補であるＣｏＭＰ用送信ポイントの識別情報を通知する工程と、無線基地局ｅＮＢが、移動局ＵＥに対して、「ＲＲＣ  Ｒｅｃｏｎｆｉｇｕｒａｔｉｏｎ（コネクション再設定信号）」によって、ＣＳＩ-ＲＳの設定情報を通知する工程と、移動局ＵＥが、通知されたＣｏＭＰ用送信ポイントの識別情報及びＣＳＩ-ＲＳの設定情報を用いて、ＣｏＭＰ用送信ポイントの品質測定処理を開始する工程とを有することを要旨とする。
【００９６】
本実施形態の第３の特徴は、無線基地局ｅＮＢであって、無線基地局ｅＮＢ配下のセル＃５に接続している移動局ＵＥに対して、「Ｍｅａｓｕｒｅｍｅｎｔ  Ｏｂｊｅｃｔ」によって、ＣｏＭＰ送受信処理の対象候補であるＣｏＭＰ用送信ポイントの識別情報及びＣＳＩ-ＲＳの設定情報を通知するように構成されている送信部１３を具備することを要旨とする。
【００９７】
本実施形態の第４の特徴は、無線基地局ｅＮＢであって、無線基地局ｅＮＢ配下のセル＃５に接続している移動局ＵＥに対して、「Ｍｅａｓｕｒｅｍｅｎｔ  Ｏｂｊｅｃｔ」によって、ＣｏＭＰ送受信処理の対象候補であるＣｏＭＰ用送信ポイントの識別情報を通知し、「ＲＲＣ  Ｒｅｃｏｎｆｉｇｕｒａｔｉｏｎ」によって、ＣＳＩ-ＲＳの設定情報を通知するように構成されている送信部１３を具備することを要旨とする。
【００９８】
本実施形態の第５の特徴は、移動局ＵＥであって、無線基地局ｅＮＢ配下のセル＃５に接続している場合に、無線基地局ｅＮＢから、「Ｍｅａｓｕｒｅｍｅｎｔ  Ｏｂｊｅｃｔ」を介して、ＣｏＭＰ送受信処理の対象候補であるＣｏＭＰ用送信ポイントの識別情報及びＣＳＩ-ＲＳの設定情報を取得するように構成されている受信部２１と、取得されたＣｏＭＰ用送信ポイントの識別情報及びＣＳＩ-ＲＳの設定情報を用いて、ＣｏＭＰ用送信ポイントの品質測定処理を開始するように構成されているＣｏＭＰ送受信処理部２４とを具備することを要旨とする。
【００９９】
本実施形態の第６の特徴は、移動局ＵＥであって、無線基地局ｅＮＢ配下のセル＃５に接続している場合に、無線基地局ｅＮＢから、「Ｍｅａｓｕｒｅｍｅｎｔ  Ｏｂｊｅｃｔ」を介して、ＣｏＭＰ送受信処理の対象候補であるＣｏＭＰ用送信ポイントの識別情報を取得し、「ＲＲＣ  Ｒｅｃｏｎｆｉｇｕｒａｔｉｏｎ」を介して、ＣＳＩ-ＲＳの設定情報を取得するように構成されている受信部２１と、取得されたＣｏＭＰ用送信ポイントの識別情報及びＣＳＩ-ＲＳの設定情報を用いて、ＣｏＭＰ用送信ポイントの品質測定処理を開始するように構成されているＣｏＭＰ送受信処理部２４とを具備することを要旨とする。
【０１００】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【０１０１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【０１０３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０４】
ｅＮＢ…無線基地局
ＵＥ…移動局
１１、２３…送信部
１２、２１…受信部
１３、２４…ＣｏＭＰ送受信処理部
２２…測定部
【図１】
2013081045.tif 000003
【図２】
2013081045.tif 000004
【図３】
2013081045.tif 000005
【図４】
2013081045.tif 000006
【図５】
2013081045.tif 000007
【図６】
2013081045.tif 000008
【図７】
2013081045.tif 000009